(57)【要約】      （修正有）【課題】  電柱を支持する地支線と電線との接触を回避することができる電線接触防止装置を提供する。【解決手段】  所定の間隔をおいて第１の接続部３１と第２の接続部３２をそれぞれ備えた第１の離隔プレート３ａおよび第２の離隔プレート３ｂと、第１の離隔プレート３ａの第１の接続部３１と第２の離隔プレート３ｂの第１の接続部３１とを互いに連結する第１の連結ワイヤ４ａと、第１の離隔プレート２ａの第２の接続部３２と第２の離隔プレート３ｂの第２の接続部３２とを互いに連結する第２の連結ワイヤ４ｂと、第１の離隔プレート３ａにおける第１の接続部３１と第２の接続部３２との中間部に取り付けられた第１の捩れ防止器５ａと、第２の離隔プレート３ｂにおける第１の接続部３１と第２の接続部３２との中間部に取り付けられた第２の捩れ防止器５ｂとを具備している。【選択図】図２
2005245080.tif 000002
【特許請求の範囲】
【請求項１】
電柱を支持する地支線に配設される電線接触防止装置であって、
所定の間隔をおいて第１の接続部と第２の接続部をそれぞれ備えた第１の離隔プレートおよび第２の離隔プレートと、
第１の離隔プレートの第１の接続部と第２の離隔プレートの第１の接続部とを互いに連結する第１の連結ワイヤと、
第１の離隔プレートの第２の接続部と第２の離隔プレートの第２の接続部とを互いに連結する第２の連結ワイヤと、
第１の離隔プレートにおける第１の接続部と第２の接続部との中間部に取り付けられた第１の捩れ防止器と、
第２の離隔プレートにおける第１の接続部と第２の接続部との中間部に取り付けられた第２の捩れ防止器と、を具備しており、
第１の捩れ防止器が電柱側に接続され、第２の捩れ防止器が地支線に接続される、
ことを特徴とする電線接触防止装置。
【請求項２】
第１の連結ワイヤおよび第２の連結ワイヤの外周には絶縁部材が装着されている、請求項１記載の電線接触防止装置。
【発明の詳細な説明】
【技術分野】
【０００１】
本発明は、配電線設備における電柱を支持するための地支線に電線が接触するのを防止するための電線接触防止装置に関する。
【背景技術】
【０００２】
一般に設置されている配電線設備について、図  を参照して説明する。
図４には、電柱１０に高圧線（絶縁電線）１１が吊架されているとともに、低圧線１２や高圧線（ケーブル）１１ｂが吊架された配電線設備が示されている。このような配電線設備においては、電柱１０を支持するために電柱に装着された取り付け具１３に一端を連結し他端を地中に支持する地支線１４が張接されている。この地支線１４は、重量の重い高圧線（絶縁電線）１１による張力に対向するために、高圧線（絶縁電線）１１の吊架方向と反対側に張接される。
【０００３】
しかるに、図４に示すように電柱１０に高圧線（絶縁電線）１１と反対側に低圧線１２や高圧線（ケーブル）１１ｂが吊架されいる場合には、低圧線１２や高圧線（ケーブル）１１ｂが地支線１４に接触する虞がある。この低圧線１２や高圧線（ケーブル）１１ｂが地支線１４に接触して漏電することによる感電や地支線１４の地際付近の電位傾度の過大による危険を生ずる虞が有る場合には、地支線１４の上部に玉がいし１５を挿入し電気的に絶縁することが規則で定められている。また、低圧線１２や高圧線（ケーブル）１１ｂと地支線１４との接触を防止するために、低圧線１２や高圧線（ケーブル）１１ｂに碍子を装着して低圧線１２や高圧線（ケーブル）１１ｂと地支線１４とを離隔することも実施されている。
【発明の開示】
【発明が解決しようとする課題】
【０００４】
而して、上述した規則は電線が地支線に接触したときの対策であり、電線が地支線に接触しない対策が望まれる。
【０００５】
本発明は上記事実に鑑みてなされたもので、その主たる技術課題は、電柱を支持する地支線と電線との接触を回避することができる電線接触防止装置を提供することにある。
【課題を解決するための手段】
【０００６】
上記技術課題を解決するために、本発明によれば、電柱を支持する地支線に配設される電線接触防止装置であって、
所定の間隔をおいて第１の接続部と第２の接続部をそれぞれ備えた第１の離隔プレートおよび第２の離隔プレートと、
第１の離隔プレートの第１の接続部と第２の離隔プレートの第１の接続部とを互いに連結する第１の連結ワイヤと、
第１の離隔プレートの第２の接続部と第２の離隔プレートの第２の接続部とを互いに連結する第２の連結ワイヤと、
第１の離隔プレートにおける第１の接続部と第２の接続部との中間部に取り付けられた第１の捩れ防止器と、
第２の離隔プレートにおける第１の接続部と第２の接続部との中間部に取り付けられた第２の捩れ防止器と、を具備しており、
第１の捩れ防止器が電柱側に接続され、第２の捩れ防止器が地支線に接続される、
ことを特徴とする電線接触防止装置が提供される。
【０００７】
上記第１の連結ワイヤおよび第２の連結ワイヤの外周には絶縁部材が装着されていることが望ましい。
【発明の効果】
【０００８】
本発明の電線接触防止装置によれば第１の離隔プレートと第２の離隔プレートを互いに連結する第１の連結ワイヤと第２の連結ワイヤとの間には離隔空間が形成され、この離隔空間に電線を通すことにより、電線の地支線との接触が防止される。また、本発明においては第１の離隔プレートと第２の離隔プレートにはそれぞれ第１の捩れ防止器と第２の捩れ防止器が取り付けられているので、地支線を引っ張り具によって張設する際に電線接触防止装置に捩れが生じても捩れ防止器の機能により極めて容易に方向を合わせることができる。
【発明を実施するための最良の形態】
【０００９】
以下、本発明に従って構成された電線接触防止装置の好適実施形態を図示している添付図面を参照して、更に詳細に説明する。
【００１０】
図１には、本発明に従って構成された電線接触防止装置２を備えた配電線設備が示されている。なお、上記図  に示す配電線設備を構成する各部材と同一部材には同一符号を付してその説明は省略する。
本発明に従って構成された電線接触防止装置２は、図示の実施形態においては電柱１０側の第１の地支線１４ａと地上側の第２の地支線１４ｂとの間に配設されている。電線接触防止装置２について、図２および図３を参照して説明する。図示の実施形態における電線接触防止装置２は、図２に示すように第１の離隔プレート３ａおよび第２の離隔プレート３ｂと、第１の離隔プレート３ａと第２の離隔プレート３ｂを連結する第１の連結ワイヤ４ａおよび第２の連結ワイヤ４ｂと、第１の離隔プレート３ａに取り付けられた第１の捩れ防止器５ａおよ第１の離隔プレート３ｂに取り付けられた第２の捩れ防止器５ｂとからなっている。
【００１１】
第１の離隔プレート３ａおよび第２の離隔プレート３ｂは、それぞれ所定の間隔をおいて第１の接続部３１と第２の接続部３２を備えているとともに、第１の接続部３１と第２の接続部３２との中間部に捩れ防止器取付部３３を備えている。なお、第１の離隔プレート３ａと第２の離隔プレート３ｂおよび第１の捩れ防止器５ａと第２の捩れ防止器５ｂは実質的に同一の構成を有している。従って、第１の離隔プレート３ａと第２の離隔プレート３ｂおよび第１の捩れ防止器５ａと第２の捩れ防止器５ｂについて、同一部材には同一符号を付して図３を参照して説明する。第１の離隔プレート３ａおよび第２の離隔プレート３ｂの第１の接続部３１と第２の接続部３２には、図４に示すようにそれぞれ穴３４が設けられており（図３には第１の接続部３１側の穴のみが示されている）、捩れ防止器取付部３３には穴３５が設けられている。
【００１２】
上記第１の離隔プレート３ａおよび第２の離隔プレート３ｂの第１の接続部３１と第２の接続部３２には、それぞれワイヤ取り付け金具６が装着されている。ワイヤ取り付け金具６は、所定の間隔をもって配設された一対の側板６１、６２と、該一対の側板６１、６２の一端部間に配設され管状のワイヤ捲回部材６３とからなっている。ワイヤ捲回部材６３はの両端部には取り付け嵌合部６３１、６３１が形成されており、この取り付け嵌合部６３１、６３１を一対の側板６１、６２に設けられた穴６１２、６２２に嵌合することにより一対の側板６１、６２に取り付けられる。ワイヤ捲回部材６３を構成する一対の側板６１、６２の他端部には、穴６１１、６２１が設けられている。このように構成されたワイヤ取り付け金具６は、一対の側板６１、６２の他端部を第１の離隔プレート３ａおよび第２の離隔プレート３ｂの第１の接続部３１と第２の接続部３２をそれぞれ挟むように配設し、側板６１に設けられた穴６１１、第１の離隔プレート３ａおよび第２の離隔プレート３ｂの第１の接続部３１と第２の接続部３２に設けられた穴３４、側板６２に設けられた穴６２１を通してそれぞれボルト６５を挿入し、該ボルト６５にナット６６を螺合することによって第１の離隔プレート３ａおよび第２の離隔プレート３ｂに装着される。
【００１３】
上記第１の連結ワイヤ４ａと第２の連結ワイヤ４ｂは、図３に示すようにそれぞれ両端に取り付けループ４１、４２が形成されている。このように構成された第１の連結ワイヤ４ａと第２の連結ワイヤ４ｂは、それぞれ一端に形成された取り付けループ４１を第１の離隔プレート３ａおよび第２の離隔プレート３ｂの第１の接続部３１にそれぞれ装着されたワイヤ取り付け金具６のワイヤ捲回部材６３に捲回し、それぞれ他端に形成された取り付けループ４２を第１の離隔プレート３ａおよび第２の離隔プレート３ｂの第２の接続部３２にそれぞれ装着されたワイヤ取り付け金具６のワイヤ捲回部材６３に捲回することにより、第１の離隔プレート３ａを第２の離隔プレート３ｂを互いに接続する。従って、第１の離隔プレート３ａおよび第２の離隔プレート３ｂと第１の連結ワイヤ４ａと第２の連結ワイヤ４ｂによって囲まれる領域には、離隔空間２０が形成される。
【００１４】
上記第１の捩れ防止器５ａおよび第２の捩れ防止器５ｂは、図３に示すよう第１の離隔プレート３ａおよび第２の離隔プレート３ｂの捩れ防止器取付部３３に装着する支持手段５１と、取付手段５２と、支持手段５１と取付手段５２とを連結する連結ボルト５３とからなっている。支持手段５１は、一対の側板５１１、５１２と、該一対の側板５１１、５１２の一端部に溶接等の固着手段によって固着されたコ字状の取り付け部材５１３とを具備している。支持手段５１を構成する一対の側板５１１、５１２の他端部には穴５１１ａ、５１２ａが設けられており、コ字状の取り付け部材５１３の底壁には穴５１３ａが設けられている。このように構成された支持手段５１は、一対の側板５１１、５１２の他端部を第１の離隔プレート３ａおよび第２の離隔プレート３ｂの捩れ防止器取付部３３を挟むように配設し、側板５１１に設けられた穴５１１ａ、第１の離隔プレート３ａおよび第２の離隔プレート３ｂの捩れ防止器取付部３３に設けられた穴３５、側板５１２に設けられた穴５１２ａを通してボルト５４を挿入し、該締結ボルト５１にナット５５を螺合することによって第１の離隔プレート３ａおよび第２の離隔プレート３ｂに装着される。
【００１５】
上記取付手段５２は、一対の側板５２１、５２２と、該一対の側板５２１、５２２の一端部に溶接等の固着手段によって固着されたナット５２３と、一対の側板５２１、５２２の他端部にボルト５２４とナット５２５によって装着されたワイヤ捲回部材５２６とからなっている。一対の側板５２１、５２２の他端部には穴５２１ａ、５２２ａが設けられており、側板５２１に設けられた穴５２１ａ、ワイヤ捲回部材５２６に設けられた穴５２６ａ、側板５２２に設けられた穴５２２ａを通してボルト５２４を挿入し、該ボルト５２４にナット５２５を螺合することによってワイヤ捲回部材５２６を一対の側板５２１、５２２に装着する。このように構成された取付手段５２は、上記支持手段５１を構成するコ字状の取り付け部材５１３の底壁に設けられた穴５１３ａを挿通して配設された連結ボルト５３を一対の側板５２１、５２２に固着されたナット５２３に螺合することにより、支持手段５１に連結される。このように連結ボルト５３によって連結された支持手段５１と取付手段５２は、連結ボルト５３の外周に沿って相対回動することができる。
【００１６】
以上のように構成された電線接触防止装置２は、図１および図２に示すように電柱１０側の第１の地支線１４ａと地上側の第２の地支線１４ｂに接続される。即ち、第１の捩れ防止器５ａを構成する取付手段５２のワイヤ捲回部材５２６に第１の地支線１４ａの下端を捲回し、第２の捩れ防止器５ｂを構成する取付手段５２のワイヤ捲回部材５２６に第２の地支線１４ｂの上端を捲回する。そして、第２の地支線１４ｂを周知の引っ張り具によって張設する。このとき、第１の地支線１４ａおよび第２の地支線１３ｂは撚り線によって形成されているので電線接触防止装置２が回動するが、最後に張力を調整する際に第１の離隔プレート３ａおよび第２の離隔プレート３ｂを連結ボルト５３の外周に沿って回動することにより方向を合わせる。なお、図示の実施形態においては、第１の捩れ防止器５ａの取付手段５２を構成する一対の側板５２１、５２２にワイヤ捲回部材５２６を装着し、このワイヤ捲回部材５２６に第１の地支線１４ａの下端を捲回する例を示したが、一対の側板５２１、５２２にワイヤ捲回部材５２６を装着せずに一対の側板５２１、５２２他端部を電柱１０に装着された取り付け具１３に直接取り付けてもよい。
【００１７】
以上のようにして第１の地支線１４ａと第２の地支線１４ｂとの間に配設された電線接触防止装置２の上記第１の連結ワイヤ４ａと第２の連結ワイヤ４ｂとの間に形成される離隔空間２０に図示の実施形態においては低圧線１２や高圧線（ケーブル）１１ｂが通される。従って、低圧線１２や高圧線（ケーブル）１１ｂが第１の連結ワイヤ４ａと第２の連結ワイヤ４ｂに接触することが防止される。なお、第１の連結ワイヤ４ａと第２の連結ワイヤ４ｂにおける低圧線１２や高圧線（ケーブル）１１ｂが挿通する部位の外周には絶縁部材７、７を装着することにより、低圧線１２や高圧線（ケーブル）１１ｂが風等によって大きく揺れ万一絶縁部材７、７に接触しても漏電することはない。
本発明に従って構成された電線接触防止装置２は、図示の実施形態においては電柱１０側の第１の地支線１４ａと地上側の第２の地支線１４ｂとの間に配設されている。電線接触防止装置２について、図２および図３を参照して説明する。図示の実施形態における電線接触防止装置２は、図２に示すように第１の離隔プレート３ａおよび第２の離隔プレート３ｂと、第１の離隔プレート３ａと第２の離隔プレート３ｂを連結する第１の連結ワイヤ４ａおよび第２の連結ワイヤ４ｂと、第１の離隔プレート３ａに取り付けられた第１の捩れ防止器５ａおよ第１の離隔プレート３ｂに取り付けられた第２の捩れ防止器５ｂとからなっている。
【図面の簡単な説明】
【００１８】
【図１】本発明によって構成された電線接触防止装置を装備した配電線設備の概略構成斜視図。
【図２】本発明によって構成された電線接触防止装置の平面図。
【図３】図２に示す電線接触防止装置の要部側面図。
【図４】従来用いられている配電線設備の概略構成斜視図。
【符号の説明】
【００１９】
２：電線接触防止装置
３ａ：第１の離隔プレート
３ｂ：第２の離隔プレート
３１：第１の接続部
３２：第２の接続部
３３：捩れ防止器取付部
４ａ：第１の連結ワイヤ
４ｂ：第２の連結ワイヤ
５ａ：第１の捩れ防止器
５ｂ：第２の捩れ防止器
６：ワイヤ取り付け金具
７：絶縁部材
１０：電柱
１１：高圧線（絶縁電線）
１１ｂ：高圧線（ケーブル）
１２：低圧線
１３：取り付け具
１４ａ：第１の地支線
１４ｂ：第２の地支線
【図１】
2005245080.tif 000003
【図２】
2005245080.tif 000004
【図３】
2005245080.tif 000005
【図４】
2005245080.tif 000006